(57)【要約】【課題】光学ピックアップ装置を構成する部品点数の増加や光学ピックアップ装置の大型化を招かずに反射ミラーに対する埃等の付着を抑止する。【解決手段】光学集積素子１１、２１と反射ミラー１３、２３との間の光路に沿って可動するコリメータレンズ１２、２２を介して光学集積素子１１、２１からの光を反射ミラー１３、２３の反射面に当て、該反射面によって反射した光を対物レンズ１４、１４で集光する光学ピックアップ装置１であって、コリメータレンズ１２、２２はレンズホルダ３０によって支持され、少なくともコリメータレンズ１２、２２が待機位置にあるときに反射ミラー１３、２３の反射面側の空間を覆うレンズホルダ３０と一体に設けられたカバー部３１を備える。【選択図】図１
2010262683.tif 000002
【特許請求の範囲】
【請求項１】
光源と反射部材との間の光路上で可動するコリメータレンズを介して前記光源からの光を反射部材の反射面に当て、該反射面によって反射した光を対物レンズで集光する光学ピックアップ装置であって、
前記コリメータレンズはレンズホルダによって支持され、
前記レンズホルダには、カバー部が設けられ、
前記カバー部は、少なくとも前記コリメータレンズが待機位置にあるときに前記反射部材を覆う位置に設けられることを特徴とする光学ピックアップ装置。
【請求項２】
前記カバー部は、前記光学ピックアップ装置の非動作時に前記反射部材の反射面側の空間を覆い、前記光学ピックアップ装置の動作時に前記反射部材の反射面と前記対物レンズとの間の光路を遮蔽しない位置へと移動することを特徴とする請求項１に記載の光学ピックアップ装置。
【発明の詳細な説明】
【技術分野】
【０００１】
本発明は、光学ピックアップ装置に関する。
【背景技術】
【０００２】
CD、DVD、Blu-ray Disc等の光学ディスクに記録された内容を読み取る機能を有するディスク装置は、光学ディスクの記録面にレーザ等の光を照射してその反射光を読み取る為の光学ピックアップ装置を有している。
【０００３】
光学ディスク装置は、光源が発する光を対物レンズにより集束させて光学ディスクの記録面に照射する。このとき、光学ディスクの記録面に光を良好に照射するには、光を集束させる対物レンズの焦点を記録面に確実に合わせる必要がある。しかしながら、対物レンズの工作精度や対物レンズの取り付け位置の誤差等により、単に光源と対物レンズを取り付けたピックアップ装置では対物レンズの焦点を記録面に合わせることが困難となる。このため、対物レンズの焦点の誤差を調節するためのコリメータレンズを設けたピックアップ装置が一般に用いられている。
【０００４】
図９は従来の光学ピックアップ装置１００を示す斜視図である。
従来の光学ピックアップ装置１００は、光学集積素子１１、コリメータレンズ１２、反射ミラー１３、対物レンズ１４、レンズホルダ３０、ガイド軸４１、４２及びモータ５０を有している。
光学集積素子１１は光（レーザ）を出射する光源である。コリメータレンズ１２は光学集積素子１１から出射されたレーザを集光して反射ミラー１３へ導く。反射ミラー１３はコリメータレンズ１２に導かれたレーザを反射して対物レンズ１４へ照射する。対物レンズ１４は反射ミラー１３を介して照射されたレーザを集束させて光学ディスク（図示略）の記録面へ照射する。
なお、光学集積素子１１から出射されるレーザの出射方向をＹ軸方向、Ｙ軸方向に直交して光学ディスクの記録面に沿う方向をＸ軸方向、Ｘ軸方向及びＹ軸方向と直交する方向をＺ軸方向とする。
【０００５】
光学ディスクの記録面へ照射されたレーザは該記録面で反射し対物レンズ１４へ入射する。そして、対物レンズ１４、反射ミラー１３、コリメータレンズ１２を介して光学集積素子１１へ入射される。光学集積素子１１は光学ディスクの記録面で反射し入射されたレーザの状態に基づいて光学ディスクの記録面のピットが示す信号を読み取る。
【０００６】
コリメータレンズ１２はレンズホルダ３０によって光学集積素子１１と反射ミラー１３との間で保持される。そして、レンズホルダ３０はガイド軸４１、４２によってＹ軸方向に沿って移動可能に支持されており、モータ５０の駆動によりレンズホルダ３０はＹ軸方向に沿って移動する。レンズホルダ３０の移動により、コリメータレンズ１２は光学集積素子１１と反射ミラー１３との間で移動し、対物レンズ１４を介して光学ディスクの記録面へ照射されるレーザの焦点を良好に保つことができる位置を決定することができる。
【０００７】
また、図９に示す光学ピックアップ装置１００は、反射ミラー１３を用いることで光学集積素子１１へ出入りするレーザを光学ディスクの記録面に対して平行となるよう設けることができ、光学ピックアップ装置１００に要求されるＺ軸方向の空間の確保を最小限としており、Ｚ軸方向について厚みが薄い光学ピックアップ装置１００を実現している。厚みが薄い光学ピックアップ装置１００を用いることでディスク装置（図示略）の厚みを薄くすることができる。
【０００８】
ところで、光学ピックアップ装置１００の対物レンズ１４は、ディスク装置（図示略）に挿入される光学ディスクの記録面と対向する位置に設けられ、光学ディスクと光学ピックアップ装置１００との間の空間を遮断する構成は設けられていない。このため、光学ピックアップ装置１００は光学ディスクの挿入／排出に伴う空気の入れ替わり等により埃、粉塵及びゴミ等（以下「埃等」と称する）にさらされ、光学ピックアップ装置１００の各部に埃等が付着することがある。このうち、対物レンズ１４に付着した埃等については一般的なレンズクリーナーを用いることにより除去することができる。
しかしながら、反射ミラー１３に付着した埃等はレンズクリーナーでは除去することができない。特に、反射ミラー１３の反射面は光学ディスクの記録面に沿った平面（Ｘ−Ｙ平面）に対して所定の傾き（例えば４５度）を有している。このため、一般的な光学ピックアップ装置１００の設置位置の場合、即ちＺ軸方向について光学ディスクに対して光学ピックアップ装置１００を下方に設ける場合に埃等が付着しやすい。
【０００９】
反射ミラーに対する埃等の付着を防止する従来の構成として、光学集積素子から反射ミラーに至る光路の周囲を透明なプレート等で覆い該光路の周辺を密閉して空気の流動を防止することで該光路の周囲に対する埃等の侵入を防止する構成がある（例えば特許文献１）。
【先行技術文献】
【特許文献】
【００１０】
【特許文献１】特開平１０−１９９００５号公報
【発明の概要】
【発明が解決しようとする課題】
【００１１】
しかしながら、特許文献１に記載の構成は、光学集積素子から反射ミラーに至る光路の周囲を密閉する為のプレートを設けることにより、光学ピックアップ装置が大型化してしまう。光学ピックアップ装置の大型化はディスク装置の大型化を招き、コンパクトなディスク装置を求められる場合において特許文献１に記載の構成を採用することはできない。
加えて、光学集積素子から反射ミラーに至る光路の周囲を密閉する為のプレートを設けることは光学ピックアップ装置を構成する部品点数の増加につながり、部品の調達コスト及び組立てコストの増加による光学ピックアップ装置のコスト増加をもたらす。
【００１２】
本発明の課題は、光学ピックアップ装置を構成する部品点数の増加や光学ピックアップ装置の大型化を招かずに反射ミラーに対する埃等の付着を抑止することである。
【課題を解決するための手段】
【００１３】
上記課題を解決するため、請求項１記載の発明は、光源と反射部材との間の光路上で可動するコリメータレンズを介して前記光源からの光を反射部材の反射面に当て、該反射面によって反射した光を対物レンズで集光する光学ピックアップ装置であって、前記コリメータレンズはレンズホルダによって支持され、前記レンズホルダには、カバー部が設けられ、前記カバー部は、少なくとも前記コリメータレンズが待機位置にあるときに前記反射部材を覆う位置に設けられることを特徴とする。
【００１４】
請求項２に記載の発明は、請求項１に記載の光学ピックアップ装置であって、前記カバー部は、前記光学ピックアップ装置の非動作時に前記反射部材の反射面側の空間を覆い、前記光学ピックアップ装置の動作時に前記反射部材の反射面と前記対物レンズとの間の光路を遮蔽しない位置へと移動することを特徴とする。
【発明の効果】
【００１５】
本発明によれば、光学ピックアップ装置を構成する部品点数の増加や光学ピックアップ装置の大型化を招かずに反射ミラーに対する埃等の付着を抑止することができる。
【図面の簡単な説明】
【００１６】
【図１】本発明の第一実施形態である光学ピックアップ装置の斜視図である。
【図２】収差補正機構の斜視図である。
【図３】図３（ａ）は光学ディスクの読取動作を行わないときの光学ピックアップ装置の平面図であり、図３（ｂ）は図３（ａ）のＷ−Ｗ断面図である。
【図４】図４（ａ）は光学ディスクの読取動作を行うときの移動範囲内において最も反射ミラー側へ移動した場合のカバー部の位置を示す光学ピックアップ装置の平面図であり、図４（ｂ）は図４（ａ）のＷ−Ｗ断面図である。
【図５】図５（ａ）は光学ディスクの読取動作を行うときの移動範囲内において最も光学集積素子、第二の反射ミラー側へ移動した場合のカバー部の位置を示す光学ピックアップ装置の平面図であり、図５（ｂ）は図５（ａ）のＷ−Ｗ断面図である。
【図６】本発明の第二実施形態である光学ピックアップ装置の斜視図である。
【図７】図７（ａ）は光学ディスクの読取動作を行わないときのカバー部の位置を示す光学ピックアップ装置の平面図であり、図７（ｂ）は図７（ａ）のＷ−Ｗ断面図である。
【図８】図８（ａ）、（ｂ）はカバー部の移動範囲内において最も光学集積素子、第二の反射ミラー側へ移動した場合のカバー部の位置を示す光学ピックアップ装置の平面図であり、図８（ｂ）は図８（ａ）のＷ−Ｗ断面図である。
【図９】従来の光学ピックアップ装置を示す斜視図である。
【発明を実施するための形態】
【００１７】
以下、図を参照して本発明の実施形態について詳細に説明する。従来の光学ピックアップ装置１００と同様の構成については同じ符号を付す。
【００１８】
（第一実施形態）
図１は、本発明の第一実施形態である光学ピックアップ装置１の斜視図である。
光学ピックアップ装置１は、光学集積素子１１、コリメータレンズ１２、反射ミラー１３、対物レンズ１４、波長板１５、カップリングレンズ１６、光学集積素子２１、コリメータレンズ２２、反射ミラー２３、対物レンズ２４、波長板２５、第二の反射ミラー２７、レンズホルダ３０、ガイド軸４１、４２及びモータ５０を有している。
【００１９】
光学集積素子１１、コリメータレンズ１２、反射ミラー１３及び対物レンズ１４は従来の光学ピックアップ装置１００のものと同様の構成である。
本実施形態による光学ピックアップ装置１の光学集積素子１１、コリメータレンズ１２、反射ミラー１３及び対物レンズ１４は、Blu-ray Discの読み取りに用いられる。波長板１５は光学集積素子１１とコリメータレンズ１２との間に設けられた透光性を有する板であり、光学集積素子１１から出射された光（レーザ）のうちBlu-ray Discの読み取りに用いられる波長のレーザのみを通過させる。カップリングレンズ１６は光学集積素子１１と波長板１５との間に設けられたレンズであり、レーザの色収差を補正する。
【００２０】
光学集積素子２１、コリメータレンズ２２、反射ミラー２３及び対物レンズ２４は、光学集積素子１１、コリメータレンズ１２、反射ミラー１３及び対物レンズ１４と同様の機能を有する構成である。
本実施形態による光学ピックアップ装置１の光学集積素子２１、コリメータレンズ２２、反射ミラー２３及び対物レンズ２４は、DVD及びCDの読み取りに用いられる。波長板２５は透光性を有する板であり、光学集積素子２１から出射された光（レーザ）のうちDVD及びCDの読み取りに用いられる波長のレーザのみを通過させる。
波長板２５とコリメータレンズ２２との間の光路には第二の反射ミラー２７が設けられている。第二の反射ミラー２７は、光学集積素子２１によって出射されて波長板２５を通過した光（レーザ）反射してコリメータレンズ２２へと導く。
【００２１】
コリメータレンズ１２、２２及び波長板１５はレンズホルダ３０によって保持される。そして、レンズホルダ３０はガイド軸４１、４２によってＹ軸方向に沿って移動可能に支持されており、モータ５０の駆動によりレンズホルダ３０はＹ軸方向に沿って移動する。レンズホルダ３０の移動により、コリメータレンズ１２及び波長板１５はカップリングレンズ１６と反射ミラー１３との間で移動し、対物レンズ１４を介して光学ディスクの記録面へ照射されるレーザの焦点を良好に保つことができる位置を決定することができる。同様に、コリメータレンズ２２は第二の反射ミラー２７と反射ミラー２３との間で移動し、対物レンズ２４を介して光学ディスクの記録面へ照射されるレーザの焦点を良好に保つことができる位置を決定することができる。
つまり、ガイド軸４１、４２はコリメータレンズ１１、２１の位置を光学集積素子１１、第二の反射ミラー２７と反射ミラー１３、２３との光路上で移動可能とするようレンズホルダ３０をガイドする。そして、モータ５０は駆動することでガイド軸４１、４２に沿ってレンズホルダ３０を移動させる。
【００２２】
モータ５０の動作制御は、図示しない制御部が行う。制御部は光学集積素子１１、２１へ入射されるレーザの状態に基づいて該レーザの入射を良好な状態とするようコリメータレンズ１２、２２の位置を制御する。
以降の記載において、コリメータレンズ１２、２２をＹ軸方向に沿って移動させるための機構を収差補正機構と称する。
【００２３】
図２は、収差補正機構の斜視図である。
図２に示すように、モータ５０の回転子はリードスクリュー５１を回転させるよう設けられている。リードスクリュー５１はその軸方向がＹ軸方向と平行に設けられ、外周面に施された螺子形状（雄ねじ）を有する。リードスクリュー５１はラック５２と螺合している。ラック５２はリードスクリュー５１に対する雌ねじである螺子穴を有する。そして、ラック５２は該螺子穴の外周部に設けられたＹ軸方向に対して平行な一側面をガイド部５３のガイド面５４に摺接させる。ガイド部５３は、リードスクリュー５１の軸方向と平行に設けられたガイド面５４を有し、リードスクリュー５１の回転時にラック５２が回転することを防ぐ。これによってモータ５０の回転によるリードスクリュー５１の回転に伴ってラック５２はＹ軸方向に沿って移動する。
【００２４】
レンズホルダ３０は、板バネ５５を介してラック５２と連結されている。板バネ５５は、ラック５２のＹ軸方向の両側面と係合するよう設けられ、モータ５０の回転によるラック５２のＹ軸方向に沿った移動の際にレンズホルダ３０へ該移動のベクトルを伝達する。
該移動のベクトルを伝達されたレンズホルダ３０は、ガイド軸４１、４２に移動方向をガイドされてＹ軸方向に沿って移動する。
【００２５】
図３（ａ）、図４（ａ）及び図５（ａ）は図１に示す光学ピックアップ装置１の平面図、図３（ｂ）、図４（ｂ）及び図５（ｂ）はそれぞれ図３（ａ）、図４（ａ）及び図５（ａ）のＷ−Ｗ断面図である。
【００２６】
収差補正機構によりコリメータレンズ１２、２２は図３（ａ）、（ｂ）に示す位置から図５（ａ）、（ｂ）に示す位置までの範囲をＹ軸方向に沿って移動することができる。光学ディスクの読取動作を行わないとき、コリメータレンズ１２、２２は図３（ａ）、（ｂ）に示す位置にある。即ち、図３（ａ）、（ｂ）に示す位置は光学ピックアップ装置１の非動作時におけるコリメータレンズの位置（待機位置）である。光学ディスクの読取動作時にコリメータレンズ１２、２２は図４（ａ）、（ｂ）に示す位置から図５（ａ）、（ｂ）に示す位置までの範囲内で移動して対物レンズ１４、２４の収差を補正する。
【００２７】
レンズホルダ３０は、カバー部３１を有する。カバー部３１は、レンズホルダ３０と一体に設けられており、収差補正機構の動作によるレンズホルダ３０及びコリメータレンズ１２、２２の移動に伴ってＹ軸方向に沿って移動する。このため、カバー部３１は図３（ａ）、（ｂ）に示す位置から図５（ａ）、（ｂ）に示す位置までの範囲をＹ軸方向に沿って移動する。そして、光学ディスクの読取動作時においてカバー部３１は図４（ａ）、（ｂ）に示す位置から図５（ａ）、（ｂ）に示す位置までの移動範囲内にある。即ち、図３（ａ）、（ｂ）に示すカバー部３１の位置は光学ディスクの読取動作を行わないときのカバー部３１の位置であり、図４（ａ）、（ｂ）は光学ディスクの読取動作を行うときの移動範囲内において最も反射ミラー１３，２３側へ移動した場合のカバー部３１の位置を示し、図５（ａ）、（ｂ）は光学ディスクの読取動作を行うときの移動範囲内において最も光学集積素子１１、第二の反射ミラー２７側へ移動した場合のカバー部３１の位置を示す。
【００２８】
図３〜５に示すように、カバー部３１は、反射ミラー１３、２３の反射面側の空間を覆うように位置する。特に、図３（ａ）、（ｂ）に示すように、光学ディスクの読取動作を行わないとき即ち光学ピックアップ装置の非動作時においてカバー部３１は対物レンズ１４、２４と反射鏡１３、２３の反射面との間の光路を遮蔽する位置となり、反射ミラー１３、２３の反射面側の空間を覆う。一方、図４（ａ）、（ｂ）及び図５（ａ）、（ｂ）に示すように、光学ディスクの読取動作時即ち光学ピックアップ装置の動作時にはカバー部３１は対物レンズ１４、２４と反射鏡１３、２３の反射面との間の光路を遮蔽しない位置へ移動する。モータ５０の動作を制御する制御部（図示略）は、光学ディスクの読取動作／非動作の状態に応じてカバー部３１によるカバー部３１による対物レンズ１４、２４と反射鏡１３、２３の反射面との間の光路の遮蔽の有無を切り替える。
【００２９】
カバー部３１は、レンズホルダ３０と一体形成された部材である。図３〜図５に示すように、カバー部３１は、コリメータレンズ１２、２２が移動する範囲内で光学ピックアップ装置１の他の構成と衝突しないような形状及び大きさでレンズホルダ３０から延設される。
【００３０】
第一実施形態の光学ピックアップ装置１によれば、カバー部３１が反射ミラー１３、２３の反射面側の空間を覆うように位置するので、光学ディスクの挿入／排出に伴う空気の入れ替わり等により反射ミラー１３、２３の反射面が埃等にさらされることを抑止することができる。特に、図３（ａ）、（ｂ）に示すように、カバー部３１が対物レンズ１４、２４と反射ミラー１３、２３の反射面との間の光路を遮蔽するとき、対物レンズ１４、２４と反射ミラー１３、２３の反射面との間の空間にカバー部３１が位置することで反射ミラー１３、２３の反射面が光学ディスクの挿入／排出が行われる空間（以下「外部の空間」と称する）に対して露出することを大幅に抑止する。
そして、カバー部３１はレンズホルダ３０と一体に設けられている。レンズホルダ３０はコリメータレンズ１２、２２をＹ軸方向について移動可能に支持する既存の構成であり、レンズホルダ３０とカバー部３１を一体形成することによってカバー部３１を設けるための部品点数の増加をなくすことができる。さらに、カバー部３１はコリメータレンズ１２、２２のＹ軸方向の移動範囲内で光学ピックアップ装置１の他の構成と衝突しないような形状及び大きさであるので、カバー部３１のためのスペースを新たに設ける必要はない。
これらのことから、光学ピックアップ装置を構成する部品点数の増加や光学ピックアップ装置の大型化を招かずに反射ミラーに対する埃等の付着を抑止することができる。
【００３１】
さらに、光学ディスクの読取動作時にカバー部３１による反射ミラー１３、２３の反射面と対物レンズ１４、２４との間の光路の遮蔽を解消させる。これによって、反射ミラー１３、２３の反射面と対物レンズ１４、２４との間を通過するレーザをカバー部３１によって遮蔽することなく、光学ディスクの読込動作を行うことができる。
そして、光学ディスクの読取動作を行わないときにカバー部３１によって反射ミラー１３、２３の反射面と対物レンズ１４、２４との間の光路を遮蔽する。光学ディスクの挿入／排出に伴う空気の入れ替わりは光学ディスクの読取動作を行わないときなので、光学ディスクの読取動作を行わないときにカバー部３１によって反射ミラー１３、２３の反射面と対物レンズ１４、２４との間の光路を遮蔽することで、光学ディスクの読込動作を行わないときに対物レンズ１４、２４と反射ミラー１３、２３の反射面との間の空間にカバー部３１を位置させ、反射ミラー１３、２３の反射面が光学ディスクの挿入／排出が行われる空間（以下「外部の空間」と称する）に対して露出することを大幅に抑止することができる。これによって、光学ディスクの挿入／排出に伴う空気の入れ替わり等により反射ミラー１３、２３の反射面が埃等にさらされることをより効果的に抑止することができる。
【００３２】
（第二実施形態）
次に、第二実施形態の光学ピックアップ装置６１の説明を行う。以下の説明において、第一実施形態である光学ピックアップ装置１と同様の構成については同じ符号を付して省略する。
図６は、本発明の第二実施形態である光学ピックアップ装置６１の斜視図である。
図７（ａ）、図８（ａ）は図６に示す光学ピックアップ装置６１の平面図、図７（ｂ）、図８（ｂ）はそれぞれ図７（ａ）、図８（ｂ）のＷ−Ｗ断面図である。図７（ａ）、（ｂ）は光学ディスクの読取動作を行わないときのカバー部３１の位置を示し、図８（ａ）、（ｂ）はカバー部３１の移動範囲内において最も光学集積素子１１、第二の反射ミラー２７側へ移動した場合のカバー部３１の位置を示す。
【００３３】
本発明の第二実施形態である光学ピックアップ装置６１は、第一実施形態である光学ピックアップ装置１の構成に加えて、レンズホルダ３０と一体に設けられた第二のカバー部３２を有する。第二のカバー部３２は光学集積素子１１とコリメータレンズ１２との間の光路と光学ディスクとの間においてＸ−Ｙ平面に沿うよう設けられ、光学集積素子１１とコリメータレンズ１２との間の光路に対して光学ディスクが位置する側の一側面を覆う。これによって光学集積素子１１とコリメータレンズ１２との間の光路に対する埃等の侵入を抑止することができ、カップリングレンズ１６等に対する埃等の付着を抑止することができる。さらに、第二のカバー部３２は第二の反射ミラー２７を介した光学集積素子２１とコリメータレンズ２２との間の光路と光学ディスクとの間においてＸ−Ｙ平面に沿うよう設けられ、第二の反射ミラー２７を介した光学集積素子２１とコリメータレンズ２２との間の光路に対して光学ディスクが位置する側の一側面を覆う。これによって光学集積素子２１とコリメータレンズ２２との間の光路に対する埃等の侵入を抑止することができ、第二の反射ミラー２７等に対する埃等の付着を抑止することができる。
【００３４】
なお、カバー部３１はコリメータレンズ１２、２２を支持するレンズホルダ３０から反射ミラー１３、２３が設けられた側に延設され、該反射部材の反射面側の空間を覆う。一方、第二のカバー部３２はレンズホルダ３０からカバー部３１と逆方向に延設されて光源（例えば光学集積素子１１、２１）とコリメータレンズ１２、２２との間の光路の近傍の一側面を覆う。
【００３５】
第二のカバー部３２は、レンズホルダ３０と一体形成された部材である。図７、図８に示すように、第二のカバー部３２は、コリメータレンズ１２、２２が移動する範囲内で光学ピックアップ装置１の他の構成と衝突しないような形状及び大きさでレンズホルダ３０から延設される。
【００３６】
第二実施形態の光学ピックアップ装置６１によれば、第一実施形態の光学ピックアップ装置１の効果に加えて、第二のカバー部３２がレンズホルダ３０からカバー部３１と逆方向に延設されて光源（例えば光学集積素子１１、２１）とコリメータレンズ１２、２２との間の光路の近傍の一側面を覆うことで、光学ディスクの挿入／排出に伴う空気の入れ替わり等により光学集積素子１１、２１とコリメータレンズ１２、２２との間の光路に埃等が入り込むことを抑止することができる。
【００３７】
さらに、第二のカバー部３２はレンズホルダ３０と一体に設けられている。レンズホルダ３０はコリメータレンズ１２、２２をＹ軸方向について移動可能に支持する既存の構成であり、レンズホルダ３０と第二のカバー部３２を一体形成することによって第二のカバー部３２を設けるための部品点数の増加をなくすことができる。さらに、第二のカバー部３２はコリメータレンズ１２、２２のＹ軸方向の移動範囲内で光学ピックアップ装置１の他の構成と衝突しないような形状及び大きさであるので、第二のカバー部３２のためのスペースを新たに設ける必要はない。
これらのことから、光学ピックアップ装置を構成する部品点数の増加や光学ピックアップ装置の大型化を招かずに反射ミラーに対する埃等の付着を抑止することができる。
【００３８】
前述の実施形態における記述は本発明の一例を示すものであり、本発明の実施形態を限定するものではなく、本発明の特徴を逸脱しない範囲での構成変更が可能である。
【００３９】
例えば、光源とコリメータレンズとの間の光路に反射ミラー（例えば第二の反射ミラー２７）を設けず、複数の光源（例えば光学集積素子１１と光学集積素子１２）とコリメータレンズ（例えばコリメータレンズ１２、２２）との間の光路を平行に設けてもよい。
【符号の説明】
【００４０】
１１、２１    光学集積素子
１２、２２    コリメータレンズ
１３、２３    反射ミラー
１４、２４    対物レンズ
３０    レンズホルダ
３１    カバー部
４１，４２    ガイド軸
５０    モータ
【図１】
2010262683.tif 000003
【図２】
2010262683.tif 000004
【図３】
2010262683.tif 000005
【図４】
2010262683.tif 000006
【図５】
2010262683.tif 000007
【図６】
2010262683.tif 000008
【図７】
2010262683.tif 000009
【図８】
2010262683.tif 000010
【図９】
2010262683.tif 000011